(57)【要約】【課題】  磁力を用いることなく容易且つ確実に取り付け可能であると共に、取り外しも容易な前掛眼鏡フレームを提供する。【解決手段】  本発明に係る前掛眼鏡フレーム１を構成するブリッジ部１１は、眼鏡フレーム２のブリッジ部２２前面の形状に対応する凹溝１１１ａが後面に形成されたブリッジ部本体１１１と、ブリッジ部本体の凹溝の上端から後方に向けて延設された延設部１１２と、凹溝と前後方向に対向するように延設部の後端部から下方に延設され、前後方向に撓むことが可能な可撓性部材からなる係止部１１３とを備えている。係止部に付勢力が作用していない状態において、ブリッジ部本体と係止部の下端部との前後方向の最小の間隔Ｔ１が、ブリッジ部の前後方向の厚みＴよりも小さく設定されている一方、凹溝の底部と係止部との前後方向の間隔Ｔ２は、厚みＴと略同等に設定されている。【選択図】  図２
2006251629.tif 000002
【特許請求の範囲】
【請求項１】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
前記眼鏡フレームのブリッジ部前面の形状に対応する凹溝が後面に形成されたブリッジ部本体と、
前記ブリッジ部本体の前記凹溝の上端から後方に向けて延設された延設部と、
前記凹溝と前後方向に対向するように前記延設部の後端部から下方に延設され、前後方向に撓むことが可能な可撓性部材からなる係止部とを備え、
前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されていることを特徴とする前掛眼鏡フレーム。
【請求項２】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
前記眼鏡フレームのブリッジ部前面の形状に対応する凹溝が後面に形成されたブリッジ部本体と、
前記ブリッジ部本体の前記凹溝の下端から後方に向けて延設された延設部と、
前記凹溝と前後方向に対向するように前記延設部の後端部から上方に延設され、前後方向に撓むことが可能な可撓性部材からなる係止部とを備え、
前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されていることを特徴とする前掛眼鏡フレーム。
【請求項３】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
ブリッジ部本体と、
前記ブリッジ部本体の上端部から後方に向けて延設された延設部と、
前記ブリッジ部本体と対向するように前記延設部の後端部から下方に延設され、前後方向に撓むことが可能な可撓性部材からなる係止部とを備え、
前記係止部の上端部前面には、前記眼鏡フレームのブリッジ部後面の形状に対応する凹溝が形成され、
前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されていることを特徴とする前掛眼鏡フレーム。
【請求項４】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
ブリッジ部本体と、
前記ブリッジ部本体の下端部から後方に向けて延設された延設部と、
前記ブリッジ部本体と対向するように前記延設部の後端部から上方に延設され、前後方向に撓むことが可能な可撓性部材からなる係止部とを備え、
前記係止部の下端部前面には、前記眼鏡フレームのブリッジ部後面の形状に対応する凹溝が形成され、
前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されていることを特徴とする前掛眼鏡フレーム。
【請求項５】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
前記眼鏡フレームのブリッジ部前面の形状に対応する凹溝が後面に形成されたブリッジ部本体と、
前記ブリッジ部本体の前記凹溝の上端から後方に向けて延設された第１の係止部と、
前記第１の係止部と略同等の長さを有し、前記ブリッジ部本体の前記凹溝の下端から後方に向けて延設された第２の係止部とを備え、
前記第１の係止部及び前記第２の係止部の少なくとも何れか一方は、上下方向に撓むことが可能な可撓性部材からなり、
前記第１の係止部及び前記第２の係止部に付勢力が作用していない状態において、前記第１の係止部の後端部と前記第２の係止部の後端部との上下方向の最小の間隔が、前記眼鏡フレームのブリッジ部の上下方向の厚みよりも小さく設定されている一方、前記第１の係止部の前端部と前記第２の係止部の前端部との上下方向の間隔は、前記眼鏡フレームのブリッジ部の上下方向の厚みと略同等に設定されており、なお且つ、前記第１の係止部の前端部又は前記第２の係止部の前端部の長さと前記凹溝の深さとの和が、前記眼鏡フレームのブリッジ部の前後方向の厚みと略同等に設定されていることを特徴とする前掛眼鏡フレーム。
【請求項６】
請求項１から５の何れかに記載の前掛眼鏡フレームと、前記眼鏡フレームとを備えることを特徴とする眼鏡セット。
【発明の詳細な説明】
【技術分野】
【０００１】
本発明は、テンプルを具備する眼鏡フレームの前面に重ね合わせて着脱自在に取り付けられるテンプルを具備しない前掛眼鏡フレーム及びこれを用いた眼鏡セットに関し、特に磁力を用いることなく容易且つ確実に取り付け可能であると共に、取り外しも容易な前掛眼鏡フレーム及びこれを用いた眼鏡セットに関する。
【背景技術】
【０００２】
従来、テンプルを具備する眼鏡フレームの前面に、テンプルを具備しない前掛眼鏡フレームを着脱自在に取り付ける眼鏡セットとして、例えば、特許文献１に記載の構成が提案されている。より具体的に説明すれば、特許文献１に記載の眼鏡セット（特許文献１では「眼鏡」と称している）は、眼鏡フレーム（特許文献１では「メインフレーム」と称している）のブリッジ部（特許文献１では「ブリッジコネクタ」と称している）の上面が前掛眼鏡フレーム（特許文献１では「付属フレーム」と称している）のブリッジ部を支持し、眼鏡フレームのブリッジ部の上面と前掛眼鏡フレームのブリッジ部とが磁着することにより、前掛眼鏡フレームが眼鏡フレームに対して着脱自在に取り付けられる構成とされている。
【０００３】
従来提案されているこの種の眼鏡セットのうち実用化されているものは、比較的強固に取り付け可能であるという点より、特許文献１に記載の構成のように、前掛眼鏡フレームを眼鏡フレームに磁着する構成、すなわち、磁力を利用して前掛眼鏡フレームを眼鏡フレームに取り付ける構成とされたものが大半である。
【０００４】
しかしながら、磁力を生じさせるためには、眼鏡フレーム及び前掛眼鏡フレームの双方或いは何れか一方に磁石を取り付ける或いは所定の部材（例えばブリッジ部等）を磁石で形成する必要がある。また、眼鏡フレーム及び前掛眼鏡フレームの双方に磁石を取り付けるのではなく、何れか一方に磁石を取り付ける場合であっても、眼鏡フレーム及び前掛眼鏡フレームの何れか他方の前記磁石と対向する部位に磁性体（ステンレス等）を取り付けるか、或いは、前記磁石と対向する部位に設けられた部材（例えばブリッジ部等）を磁性体で形成する必要がある。
【０００５】
従って、何れにせよ、眼鏡フレームに磁石或いは磁性体を取り付ける（所定の部材を磁石或いは磁性体で形成する場合を含む）という制約が生ずることから、使用者が常時使用している眼鏡フレームの種類によっては、この種の磁力を利用した前掛眼鏡フレームを取り付けられない場合があり、その結果、使用者は眼鏡セット全体を新たに購入（すなわち、眼鏡フレームと前掛眼鏡フレームとを対として購入）しなければならないという問題がある。また、眼鏡フレーム及び前掛眼鏡フレームの双方或いは何れか一方に磁石を取り付ける必要があることから、製造コストが高騰するという問題もある。
【特許文献１】特許第３３５５１２０号公報
【発明の開示】
【発明が解決しようとする課題】
【０００６】
本発明は、斯かる従来技術の問題点を解決するべくなされたものであり、磁力を用いることなく容易且つ確実に取り付け可能であると共に、取り外しも容易な前掛眼鏡フレーム及びこれを用いた眼鏡セットを提供することを課題とする。
【課題を解決するための手段】
【０００７】
前記課題を解決するべく、本発明は、特許請求の範囲の請求項１に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、前記眼鏡フレームのブリッジ部前面の形状に対応する凹溝が後面に形成されたブリッジ部本体と、前記ブリッジ部本体の前記凹溝の上端から後方に向けて延設された延設部と、前記凹溝と前後方向に対向するように前記延設部の後端部から下方に延設され、前後方向に撓むことが可能な可撓性部材からなる係止部とを備え、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されていることを特徴とする前掛眼鏡フレームを提供するものである。
【０００８】
本発明に係る前掛眼鏡フレームにおいては、前掛眼鏡フレームを構成するブリッジ部が、眼鏡フレームのブリッジ部前面の形状に対応する凹溝が後面に形成されたブリッジ部本体と、ブリッジ部本体の凹溝の上端から後方に向けて延設された延設部と、凹溝と前後方向に対向するように延設部の後端から下方に延設され、前後方向に撓むことが可能な可撓性部材からなる係止部とを備える構成とされている。そして、係止部に付勢力が作用していない状態において、凹溝の底部と係止部との前後方向の間隔が、眼鏡フレームのブリッジ部の前後方向の厚みと略同等に設定されている。従って、前掛眼鏡フレームを眼鏡フレームに取り付けた状態においては、眼鏡フレームのブリッジ部前面が前掛眼鏡フレームのブリッジ部本体の凹溝に嵌め込まれ、眼鏡フレームのブリッジ部後面が係止部の前面で係止される状態で、延設部が眼鏡フレームのブリッジ部に下方から支持されることになる。従って、前掛眼鏡フレームのブリッジ部の前後方向及び下方向への動きが、眼鏡フレームのブリッジ部によって規制されることになり、前掛眼鏡フレームを眼鏡フレームに確実に取り付けることが可能である。
【０００９】
また、係止部に付勢力が作用していない状態において、ブリッジ部本体と係止部の下端部との前後方向の最小の間隔が、眼鏡フレームのブリッジ部の前後方向の厚みよりも小さく設定されている。従って、前掛眼鏡フレームを眼鏡フレームに取り付ける際には、前掛眼鏡フレームの延設部を眼鏡フレームのブリッジ部の上方に配設した後、前掛眼鏡フレームを下方へ移動させれば、眼鏡フレームのブリッジ部が前掛眼鏡フレームの係止部の下端部に当接し、係止部が後方に向けて付勢されて撓むため、ブリッジ部本体と係止部の下端部との前後方向の間隔が拡がり、当該間隔を有する隙間を眼鏡フレームのブリッジ部が容易に通過することになる。そして、眼鏡フレームのブリッジ部が前記隙間を通過した後には、係止部が元の状態（付勢力が作用していない状態）に戻り、ブリッジ部本体と係止部の下端部との前後方向の最小の間隔が眼鏡フレームのブリッジ部の前後方向の厚みよりも小さくなるため、当該間隔を有する隙間から眼鏡フレームのブリッジ部が抜け難くなる。一方、前掛眼鏡フレームを眼鏡フレームから取り外す際には、前掛眼鏡フレームの後方が上方に移動するように回動しながら前掛眼鏡フレームの全体を上方へ移動させることにより、眼鏡フレームのブリッジ部前面が前掛眼鏡フレームのブリッジ部本体の凹溝から抜けると共に、眼鏡フレームのブリッジ部が前掛眼鏡フレームの係止部の下端部に当接し、係止部が後方に向けて付勢されて撓むため、ブリッジ部本体と係止部の下端部との前後方向の間隔が拡がり、当該間隔を有する隙間から眼鏡フレームのブリッジ部が容易に抜けることになる。
【００１０】
以上のように、本発明に係る前掛眼鏡フレームは、磁力を用いることなく眼鏡フレームに容易且つ確実に取り付け可能であると共に、取り外しも容易であるという優れた利点を有する。
【００１１】
好ましくは、請求項１に係る発明において、前記係止部の下端部前面は、上方から下方に向けて前記ブリッジ部本体から離間する方向に湾曲した曲面形状とされる。
【００１２】
斯かる構成によれば、眼鏡フレームのブリッジ部を前掛眼鏡フレームのブリッジ部本体と係止部の下端部との隙間に挿脱する際に、湾曲した曲面形状に沿って眼鏡フレームのブリッジ部を移動させることができるため、前掛眼鏡フレームの着脱動作をスムーズに行うことができるという利点を有する。
【００１３】
また、前記課題を解決するべく、請求項１に係る前掛眼鏡フレームのブリッジ部の上下を反転させた構成を採用することも可能である。すなわち、本発明は、特許請求の範囲の請求項２に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、前記眼鏡フレームのブリッジ部前面の形状に対応する凹溝が後面に形成されたブリッジ部本体と、前記ブリッジ部本体の前記凹溝の下端から後方に向けて延設された延設部と、前記凹溝と前後方向に対向するように前記延設部の後端部から上方に延設され、前後方向に撓むことが可能な可撓性部材からなる係止部とを備え、前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されていることを特徴とする前掛眼鏡フレームとしても提供される。
【００１４】
本発明に係る前掛眼鏡フレームについても、着脱動作の方向が上下に反転する点を除き、請求項１に係る前掛眼鏡フレームと略同等の作用効果を奏し、磁力を用いることなく眼鏡フレームに容易且つ確実に取り付け可能であると共に、取り外しも容易である。
【００１５】
また、前記課題を解決するべく、請求項１に係る前掛眼鏡フレームのブリッジ部本体に形成された凹溝を、ブリッジ部本体ではなく係止部に形成する構成を採用することも可能である。すなわち、本発明は、特許請求の範囲の請求項３に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、ブリッジ部本体と、前記ブリッジ部本体の上端部から後方に向けて延設された延設部と、前記ブリッジ部本体と対向するように前記延設部の後端部から下方に延設され、前後方向に撓むことが可能な可撓性部材からなる係止部とを備え、前記係止部の上端部前面には、前記眼鏡フレームのブリッジ部後面の形状に対応する凹溝が形成され、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されていることを特徴とする前掛眼鏡フレームとしても提供される。
【００１６】
本発明に係る前掛眼鏡フレームについても、請求項１に係る前掛眼鏡フレームと略同等の作用効果を奏し、磁力を用いることなく眼鏡フレームに容易且つ確実に取り付け可能であると共に、取り外しも容易である。
【００１７】
また、前記課題を解決するべく、請求項３に係る前掛眼鏡フレームのブリッジ部の上下を反転させた構成を採用することも可能である。すなわち、本発明は、特許請求の範囲の請求項４に記載の如くテンプルを具備する眼鏡フレームの前面に重ね合わせて着脱自在に取り付けられるテンプルを具備しない前掛眼鏡フレームであって、前記前掛眼鏡フレームを構成するブリッジ部は、ブリッジ部本体と、前記ブリッジ部本体の下端部から後方に向けて延設された延設部と、前記ブリッジ部本体と対向するように前記延設部の後端部から上方に延設され、前後方向に撓むことが可能な可撓性部材からなる係止部とを備え、前記係止部の下端部前面には、前記眼鏡フレームのブリッジ部後面の形状に対応する凹溝が形成され、前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されていることを特徴とする前掛眼鏡フレームとしても提供される。
【００１８】
本発明に係る前掛眼鏡フレームについても、着脱動作の方向が上下に反転する点を除き、請求項３に係る前掛眼鏡フレームと略同等の作用効果を奏し、磁力を用いることなく眼鏡フレームに容易且つ確実に取り付け可能であると共に、取り外しも容易である。
【００１９】
さらに、前記課題を解決するべく、本発明は、特許請求の範囲の請求項５に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、前記眼鏡フレームのブリッジ部前面の形状に対応する凹溝が後面に形成されたブリッジ部本体と、前記ブリッジ部本体の前記凹溝の上端から後方に向けて延設された第１の係止部と、前記第１の係止部と略同等の長さを有し、前記ブリッジ部本体の前記凹溝の下端から後方に向けて延設された第２の係止部とを備え、前記第１の係止部及び前記第２の係止部の少なくとも何れか一方は、上下方向に撓むことが可能な可撓性部材からなり、前記第１の係止部及び前記第２の係止部に付勢力が作用していない状態において、前記第１の係止部の後端部と前記第２の係止部の後端部との上下方向の最小の間隔が、前記眼鏡フレームのブリッジ部の上下方向の厚みよりも小さく設定されている一方、前記第１の係止部の前端部と前記第２の係止部の前端部との上下方向の間隔は、前記眼鏡フレームのブリッジ部の上下方向の厚みと略同等に設定されており、なお且つ、前記第１の係止部の前端部又は前記第２の係止部の前端部の長さと前記凹溝の深さとの和が、前記眼鏡フレームのブリッジ部の前後方向の厚みと略同等に設定されていることを特徴とする前掛眼鏡フレームとしても提供される。
【００２０】
本発明に係る前掛眼鏡フレームにおいては、前掛眼鏡フレームを構成するブリッジ部が、眼鏡フレームのブリッジ部前面の形状に対応する凹溝が後面に形成されたブリッジ部本体と、ブリッジ部本体の凹溝の上端から後方に向けて延設された第１の係止部と、第１の係止部と略同等の長さを有し、ブリッジ部本体の凹溝の下端から後方に向けて延設された第２の係止部とを備え、第１の係止部及び第２の係止部の少なくとも何れか一方が、上下方向に撓むことが可能な可撓性部材から構成されている。そして、第１の係止部及び第２の係止部に付勢力が作用していない状態において、第１の係止部の前端部と第２の係止部の前端部との上下方向の間隔が、眼鏡フレームのブリッジ部の上下方向の厚みと略同等に設定されており、なお且つ、第１の係止部の前端部又は第２の係止部の前端部の長さ（すなわち、第１の係止部と第２の係止部との上下方向の間隔が眼鏡フレームのブリッジ部の上下方向の厚みと略同等に設定されている第１の係止部又は第２の係止部の前端部の長さ）と凹溝の深さとの和が、眼鏡フレームのブリッジ部の前後方向の厚みと略同等に設定されている。従って、前掛眼鏡フレームを眼鏡フレームに取り付けた状態においては、眼鏡フレームのブリッジ部前面が前掛眼鏡フレームのブリッジ部本体の凹溝に嵌め込まれ、眼鏡フレームのブリッジ部上下面が第１の係止部と第２の係止部との間で挟持されることになる。従って、前掛眼鏡フレームのブリッジ部の上下方向及び後方への動きが、眼鏡フレームのブリッジ部によって規制されることになり、前掛眼鏡フレームを眼鏡フレームに確実に取り付けることが可能である。
【００２１】
また、第１の係止部及び第２の係止部に付勢力が作用していない状態において、第１の係止部の後端部と第２の係止部の後端部との上下方向の最小の間隔が、眼鏡フレームのブリッジ部の上下方向の厚みよりも小さく設定されている。従って、前掛眼鏡フレームを眼鏡フレームに取り付ける際には、前掛眼鏡フレームの第１の係止部と第２の係止部の隙間を眼鏡フレームのブリッジ部の前方に配設した後、前掛眼鏡フレームを後方へ移動させれば、眼鏡フレームのブリッジ部が前掛眼鏡フレームの第１の係止部の後端部の下端及び第２の係止部の後端部の上端に当接し、第１の係止部の後端部が上方に向けて付勢されて撓むか、若しくは第２の係止部の後端部が下方に向けて付勢されて撓むか、或いは第１の係止部及び第２の係止部の双方の後端部が撓むため、第１の係止部の後端部と第２の係止部の後端部との上下方向の間隔が拡がり、当該間隔を有する隙間を眼鏡フレームのブリッジ部が通過することになる。そして、眼鏡フレームのブリッジ部が前記隙間を通過した後には、第１の係止部若しくは第２の係止部或いはその双方が元の状態（付勢力が作用していない状態）に戻り、第１の係止部の後端部と第２の係止部の後端部との上下方向の最小の間隔が眼鏡フレームのブリッジ部の上下方向の厚みよりも小さくなるため、当該間隔を有する隙間から眼鏡フレームのブリッジ部が抜け難くなる。一方、前掛眼鏡フレームを眼鏡フレームから取り外す際には、前掛眼鏡フレームを前方へ移動させることにより、眼鏡フレームのブリッジ部前面が前掛眼鏡フレームのブリッジ部本体の凹溝から抜けると共に、眼鏡フレームのブリッジ部が前掛眼鏡フレームの第１の係止部の後端部及び第２の係止部の後端部に当接し、第１の係止部が上方に向けて付勢されて撓むか、若しくは第２の係止部が下方に向けて付勢されて撓むか、或いは第１の係止部及び第２の係止部の双方の後端部が撓むため、第１の係止部の後端部と第２の係止部の後端部との上下方向の間隔が拡がり、当該間隔を有する隙間から眼鏡フレームのブリッジ部が抜けることになる。
【００２２】
以上のように、本発明に係る前掛眼鏡フレームも、磁力を用いることなく眼鏡フレームに容易且つ確実に取り付け可能であると共に、取り外しも容易である。
【００２３】
好ましくは、上述した前掛眼鏡フレームについて、前掛眼鏡フレームの左右方向両端部の後面に、眼鏡フレームのフレームの左右方向両端部の前面の形状に対応する凹溝が設けられる。
【００２４】
斯かる構成によれば、前掛眼鏡フレームの左右方向両端部の後面に、眼鏡フレームの左右方向両端部前面の形状に対応する凹溝が設けられているため、前掛眼鏡フレームを眼鏡フレームに取り付けた際に、前記凹溝に眼鏡フレームの左右方向両端部前面が係合することになり、より一層確実に前掛眼鏡フレームを眼鏡フレームに取り付けることが可能である。
【００２５】
なお、本発明は、特許請求の範囲の請求項６に記載の如く、上述した前掛眼鏡フレームと、前記眼鏡フレームとを備えることを特徴とする眼鏡セットとしても提供される。
【発明の効果】
【００２６】
本発明に係る前掛眼鏡フレームは、磁力を用いることなく眼鏡フレームに容易且つ確実に取り付け可能であると共に、取り外しも容易である。そして、磁力を用いる必要がないため、使用者が常時使用している眼鏡フレームの種類によらず着脱可能であり、製造コストも低減することができるという優れた利点を有する。
【発明を実施するための最良の形態】
【００２７】
以下、添付図面を参照しつつ、本発明の一実施形態について説明する。図１は、本発明の一実施形態に係る前掛眼鏡フレームの概略構成を示す図であり、図１（ａ）は前掛眼鏡フレームを眼鏡フレームに取り付けた状態を示す平面図を、図１（ｂ）は、前掛眼鏡フレームを眼鏡フレームから取り外した状態を示す平面図（眼鏡フレームのテンプルについては一部図示を省略）を示す。また、図２は、本実施形態に係る前掛眼鏡フレームの一部断面を拡大して示す図であり、図２（ａ）は図１（ａ）のＡＡ矢視断面拡大図を、図２（ｂ）は図１（ｂ）のＢＢ矢視断面拡大図を、図２（ｃ）は前掛眼鏡フレームを眼鏡フレームに取り付ける際における図２（ｂ）に示す状態から図２（ａ）に示す状態への遷移過程を示す断面拡大図を、図２（ｄ）は前掛眼鏡フレームを眼鏡フレームから取り外す際における図２（ａ）に示す状態から図２（ｂ）に示す状態への遷移過程を示す断面拡大図を、図２（ｅ）は図１（ａ）のＣＣ矢視断面拡大図を示す。
【００２８】
図１又は図２に示すように、本実施形態に係る前掛眼鏡フレーム１は、テンプルを具備せず、テンプル２１を具備する眼鏡フレーム２の前面に重ね合わせて着脱自在に取り付けられるように構成されている。
【００２９】
前掛眼鏡フレーム１を構成するブリッジ部１１は、眼鏡フレーム２のブリッジ部２２前面の形状に対応する凹溝１１１ａが後面に形成されたブリッジ部本体１１１と、ブリッジ部本体１１１の凹溝１１１ａの上端から後方に向けて延設された延設部１１２と、凹溝１１１ａと前後方向に対向するように延設部１１２の後端部から下方に延設され、前後方向に撓むことが可能な可撓性部材（可撓性を有する樹脂材料や金属材料の他、可撓性を有するものであれば、いずれの材料を採用してもよい）からなる係止部１１３とを備えている。
【００３０】
そして、係止部１１３に付勢力が作用していない状態（図１（ｂ）、図２（ｂ）の状態）において、ブリッジ部本体１１１と係止部１１３の下端部との前後方向の最小の間隔Ｔ１が、眼鏡フレーム２のブリッジ部２２の前後方向の厚みＴよりも小さく設定されている一方、凹溝１１１ａの底部と係止部１１３との前後方向の間隔Ｔ２は、眼鏡フレーム２のブリッジ部２２の前後方向の厚みＴと略同等に設定されている。
【００３１】
以上の構成により、前掛眼鏡フレーム１を眼鏡フレーム２に取り付けた状態（図１（ａ）、図２（ａ）の状態）においては、眼鏡フレーム２のブリッジ部前面２２ａが前掛眼鏡フレーム１のブリッジ部本体１１１の凹溝１１１ａに嵌め込まれ、眼鏡フレーム２のブリッジ部後面２２ｂが係止部１１３の前面で係止される状態で、延設部１１２が眼鏡フレーム２のブリッジ部２２に下方から支持されることになる。従って、前掛眼鏡フレーム１のブリッジ部１１の前後方向及び下方向への動きが、眼鏡フレーム２のブリッジ部２２によって規制されることになり、前掛眼鏡フレーム１を眼鏡フレーム２に確実に取り付けることが可能である。
【００３２】
前掛眼鏡フレーム１を眼鏡フレーム２に取り付ける際（図２（ｃ）参照）には、前掛眼鏡フレーム１の延設部１１２を眼鏡フレーム２のブリッジ部２２の上方に配設した後、前掛眼鏡フレーム１を下方（図２（ｃ）の矢符の方向）へ移動させれば良い。これにより、眼鏡フレーム２のブリッジ部２２が前掛眼鏡フレーム１の係止部１１３の下端部に当接し、係止部１１３が後方（図２（ｃ）の白抜き矢符の方向）に向けて付勢されて撓む（図２（ｃ）の破線で示す状態から実線で示す状態に遷移する）ため、ブリッジ部本体１１１と係止部１１３の下端部との前後方向の間隔が拡がり、当該間隔を有する隙間を眼鏡フレーム２のブリッジ部２２が容易に通過することになる。そして、眼鏡フレーム２のブリッジ部２２が前記隙間を通過した後には、係止部１１３が元の状態（付勢力が作用していない状態）に戻り、ブリッジ部本体１１１と係止部１１３の下端部との前後方向の最小の間隔が眼鏡フレーム２のブリッジ部２２の前後方向の厚みＴよりも小さくなるため、当該間隔を有する隙間から眼鏡フレーム２のブリッジ部２２が抜け難くなる。
【００３３】
一方、前掛眼鏡フレーム１を眼鏡フレーム２から取り外す際（図２（ｄ）参照）には、前掛眼鏡フレーム１の後方が上方に移動するように回動（図２（ｄ）の矢符Ｘの方向に回動）しながら前掛眼鏡フレーム１の全体を上方（図２（ｄ）の矢符Ｙの方向）へ移動させることにより、眼鏡フレーム２のブリッジ部前面２２ａが前掛眼鏡フレーム１のブリッジ部本体１１の凹溝１１１ａから抜けると共に、眼鏡フレーム２のブリッジ部２２が前掛眼鏡フレーム１の係止部１１３の下端部に当接し、係止部１１３が後方（図２（ｄ）の白抜き矢符の方向）に向けて付勢されて撓む（図２（ｄ）の破線で示す状態から実線で示す状態に遷移する）ため、ブリッジ部本体１１と係止部１１３の下端部との前後方向の間隔が拡がり、当該間隔を有する隙間から眼鏡フレーム２のブリッジ部２２が容易に抜けることになる。
【００３４】
以上に説明したように、本実施形態に係る前掛眼鏡フレーム１は、磁力を用いることなく眼鏡フレーム２に容易且つ確実に取り付け可能であると共に、取り外しも容易であるという優れた利点を有する。
【００３５】
なお、本実施形態に係る前掛眼鏡フレーム１は、好ましい構成として、係止部１１３の下端部前面１１３ａが、上方から下方に向けてブリッジ部本体１１１から離間する方向に湾曲した曲面形状とされている。
【００３６】
斯かる好ましい構成により、眼鏡フレーム２のブリッジ部２２を前掛眼鏡フレーム１のブリッジ部本体１１１と係止部１１３の下端部との隙間に挿脱する際（図２（ｃ）及び図２（ｄ））に、湾曲した曲面形状に沿って眼鏡フレーム２のブリッジ部２２を移動させることができるため、前掛眼鏡フレーム１の着脱動作をスムーズに行うことができるという利点を有する。
【００３７】
また、本実施形態に係る前掛眼鏡フレーム１は、好ましい構成として、前掛眼鏡フレーム１の左右方向両端部の後面に、眼鏡フレーム２の左右方向両端部の前面の形状に対応する凹溝１２が設けられている。
【００３８】
斯かる好ましい構成により、前掛眼鏡フレーム１を眼鏡フレーム２に取り付けた際に、凹溝１２に眼鏡フレーム２の左右方向両端部前面が係合（図２（ｅ）参照）することになり、より一層確実に前掛眼鏡フレーム１を眼鏡フレーム２に取り付けることが可能である。
【００３９】
なお、本発明に係る前掛眼鏡フレームとしては、以上に説明した構成に限られるものではなく、例えば、図３に示すように、ブリッジ部について種々の変更した構成を採用することが可能である。
【００４０】
図３は、本発明の他の実施形態に係る前掛眼鏡フレームのブリッジ部断面を拡大して示す図である。図３（ａ）に示すブリッジ部１１Ａは、図２を参照して説明したブリッジ部１１の上下を反転させた構成である。より具体的に説明すれば、ブリッジ部１１Ａは、眼鏡フレーム２のブリッジ部２２前面の形状に対応する凹溝１１１Ａａが後面に形成されたブリッジ部本体１１１Ａと、ブリッジ部本体１１１Ａの凹溝１１１Ａａの下端から後方に向けて延設された延設部１１２Ａと、凹溝１１１Ａａと前後方向に対向するように延設部１１２Ａの後端部から上方に延設され、前後方向に撓むことが可能な可撓性部材からなる係止部１１３Ａとを備え、係止部１１３Ａに付勢力が作用していない状態において、ブリッジ部本体１１１Ａと係止部１１３Ａの上端部との前後方向の最小の間隔Ｔ１が、眼鏡フレーム２のブリッジ部２２の前後方向の厚みＴ（図２参照）よりも小さく設定されている一方、凹溝１１１Ａａの底部と係止部１１３Ａとの前後方向の間隔Ｔ２は、眼鏡フレーム２のブリッジ部２２の前後方向の厚みＴと略同等に設定されている。
【００４１】
本実施形態に係るブリッジ部１１Ａを備えた前掛眼鏡フレームについても、着脱動作の方向が、前述したブリッジ部１１を備えた前掛眼鏡フレーム１とは上下に反転する点を除き、略同等の作用効果を奏し、磁力を用いることなく眼鏡フレーム２に容易且つ確実に取り付け可能であると共に、取り外しも容易である。ただし、本実施形態に係るブリッジ部１１Ａは上方が開口している構成であるため、前述したブリッジ部１１に比べれば、前掛眼鏡フレームが自重によって下方向へ移動しようとする動きを阻止する機能が劣ることになる。従って、本実施形態に係るブリッジ部１１Ａは、比較的軽量の前掛眼鏡フレームに採用することが好ましい。
【００４２】
図３（ｂ）に示すブリッジ部１１Ｂは、図２を参照して説明したブリッジ部１１のブリッジ部本体１１１に形成された凹溝１１１ａを、ブリッジ部本体ではなく係止部に形成した構成である。より具体的に説明すれば、ブリッジ部１１Ｂは、ブリッジ部本体１１１Ｂと、ブリッジ部本体１１１Ｂの上端部から後方に向けて延設された延設部１１２Ｂと、ブリッジ部本体１１１Ｂと対向するように延設部１１２Ｂの後端部から下方に延設され、前後方向に撓むことが可能な可撓性部材からなる係止部１１３Ｂとを備え、係止部１１３Ｂの上端部前面には、眼鏡フレーム２のブリッジ部２２後面の形状に対応する凹溝１１３Ｂａが形成され、係止部１１３Ｂに付勢力が作用していない状態において、ブリッジ部本体１１１Ｂと係止部１１３Ｂの下端部との前後方向の最小の間隔Ｔ１が、眼鏡フレーム２のブリッジ部２２の前後方向の厚みＴ（図２参照）よりも小さく設定されている一方、凹溝１１３Ｂａの底部とブリッジ部本体１１１Ｂとの前後方向の間隔Ｔ２は、眼鏡フレーム２のブリッジ部２２の前後方向の厚みＴと略同等に設定されている。
【００４３】
本実施形態に係るブリッジ部１１Ｂを備えた前掛眼鏡フレームについても、前述したブリッジ部１１を備えた前掛眼鏡フレーム１と略同等の作用効果を奏し、磁力を用いることなく眼鏡フレーム２に容易且つ確実に取り付け可能であると共に、取り外しも容易である。
【００４４】
図３（ｃ）に示すブリッジ部１１Ｃは、図３（ｂ）のブリッジ部１１Ｂの上下を反転させた構成である。より具体的に説明すれば、ブリッジ部１１Ｃは、ブリッジ部本体１１１Ｃと、ブリッジ部本体１１１Ｃの下端部から後方に向けて延設された延設部１１２Ｃと、ブリッジ部本体１１１Ｃと対向するように延設部１１２Ｃの後端部から上方に延設され、前後方向に撓むことが可能な可撓性部材からなる係止部１１３Ｃとを備え、係止部１１３Ｃの下端部前面には、眼鏡フレーム２のブリッジ部２２後面の形状に対応する凹溝１１３Ｃａが形成され、係止部１１３Ｃに付勢力が作用していない状態において、ブリッジ部本体１１１Ｃと係止部１１３Ｃの上端部との前後方向の最小の間隔Ｔ１が、眼鏡フレーム２のブリッジ部２２の前後方向の厚みＴ（図２参照）よりも小さく設定されている一方、凹溝１１３Ｃａの底部とブリッジ部本体１１１Ｃとの前後方向の間隔Ｔ２は、眼鏡フレーム２のブリッジ部２２の前後方向の厚みＴと略同等に設定されている。
【００４５】
本実施形態に係るブリッジ部１１Ｃを備えた前掛眼鏡フレームについても、着脱動作の方向が、前述したブリッジ部１１を備えた前掛眼鏡フレーム１や、ブリッジ部１１Ｂを備えた前掛眼鏡フレームとは上下に反転する点を除き、略同等の作用効果を奏し、磁力を用いることなく眼鏡フレーム２に容易且つ確実に取り付け可能であると共に、取り外しも容易である。ただし、本実施形態に係るブリッジ部１１Ｃは上方が開口している構成であるため、前述したブリッジ部１１やブリッジ部１１Ｂに比べれば、前掛眼鏡フレームが自重によって下方向へ移動しようとする動きを阻止する機能が劣ることになる。従って、本実施形態に係るブリッジ部１１Ｃも前述したブリッジ部１１Ａと同様に、比較的軽量の前掛眼鏡フレームに採用することが好ましい。
【００４６】
図３（ｄ）に示すブリッジ部１１Ｄは、眼鏡フレーム２のブリッジ部２２前面の形状に対応する凹溝１１１Ｄａが後面に形成されたブリッジ部本体１１１Ｄと、ブリッジ部本体１１１Ｄの凹溝１１１Ｄａの上端から後方に向けて延設された第１の係止部１１３Ｄａと、第１の係止部１１３Ｄａと略同等の長さを有し、ブリッジ部本体１１１Ｄの凹溝１１１Ｄａの下端から後方に向けて延設された第２の係止部１１３Ｄｂとを備えている。そして、第１の係止部１１３Ｄａ及び第２の係止部１１３Ｄｂの少なくとも何れか一方は、上下方向に撓むことが可能な可撓性部材からなり、第１の係止部１１３Ｄａ及び第２の係止部１１３Ｄｂに付勢力が作用していない状態において、第１の係止部１１３Ｄａの後端部と第２の係止部１１３Ｄｂの後端部との上下方向の最小の間隔Ｈ１が、眼鏡フレーム２のブリッジ部２２の上下方向の厚みＨ（図２参照）よりも小さく設定されている一方、第１の係止部１１３Ｄａの前端部と第２の係止部１１３Ｄｂの前端部との上下方向の間隔Ｈ２は、眼鏡フレーム２のブリッジ部２２の上下方向の厚みＨと略同等に設定されており、なお且つ、第１の係止部１１３Ｄａの前端部又は第２の係止部１１３Ｄｂの前端部の長さと凹溝１１１Ｄａの深さとの和Ｔ３が、眼鏡フレーム２のブリッジ部２２の前後方向の厚みＴ（図２参照）と略同等に設定されている。
【００４７】
以上の構成により、ブリッジ部１１Ｄを備えた前掛眼鏡フレームを眼鏡フレーム２に取り付けた状態においては、眼鏡フレーム２のブリッジ部２２前面が前掛眼鏡フレームのブリッジ部本体１１１Ｄの凹溝１１１Ｄａに嵌め込まれ、眼鏡フレーム２のブリッジ部２２上下面が第１の係止部１１３Ｄａと第２の係止部１１３Ｄｂとの間で挟持されることになる。従って、本実施形態に係る前掛眼鏡フレームのブリッジ部１１Ｄの上下方向及び後方への動きが、眼鏡フレーム２のブリッジ部２２によって規制されることになり、前掛眼鏡フレームを眼鏡フレーム２に確実に取り付けることが可能である。
【００４８】
本実施形態に係る前掛眼鏡フレームを眼鏡フレーム２に取り付ける際には、前掛眼鏡フレームの第１の係止部１１３Ｄａと第２の係止部１１３Ｄｂの隙間を眼鏡フレーム２のブリッジ部２２の前方に配設した後、前掛眼鏡フレームを後方（図２の紙面右方向）へ移動させれば、眼鏡フレーム２のブリッジ部２２が前掛眼鏡フレームの第１の係止部１１３Ｄａの後端部の下端及び第２の係止部１１３Ｄｂの後端部の上端に当接し、第１の係止部１１３Ｄａの後端部が上方に向けて付勢されて撓む（第１の係止部１１３Ｄａが可撓性材料からなる場合）か、若しくは第２の係止部１１３Ｄｂの後端部が下方に向けて付勢されて撓む（第２の係止部１１３Ｄｂが可撓性材料からなる場合）か、或いは第１の係止部１１３Ｄａ及び第２の係止部１１３Ｄｂの双方の後端部が撓む（第１の係止部１１３Ｄａ及び第２の係止部１１３Ｄｂの双方が可撓性材料からなる場合）ため、第１の係止部１１３Ｄａの後端部と第２の係止部１１３Ｄｂの後端部との上下方向の間隔が拡がり、当該間隔を有する隙間を眼鏡フレーム２のブリッジ部２２が通過することになる。そして、眼鏡フレーム２のブリッジ部２２が前記隙間を通過した後には、第１の係止部１１３Ｄａ若しくは第２の係止部１１３Ｄｂ或いはその双方が元の状態（付勢力が作用していない状態）に戻り、第１の係止部１１３Ｄａの後端部と第２の係止部１１３Ｄｂの後端部との上下方向の最小の間隔が眼鏡フレーム２のブリッジ部２２の上下方向の厚みＨよりも小さくなるため、当該間隔を有する隙間から眼鏡フレーム２のブリッジ部２２が抜け難くなる。
【００４９】
一方、前掛眼鏡フレームを眼鏡フレーム２から取り外す際には、前掛眼鏡フレームを前方へ移動させることにより、眼鏡フレーム２のブリッジ部２２前面が前掛眼鏡フレームのブリッジ部本体１１１Ｄの凹溝１１１Ｄａから抜けると共に、眼鏡フレーム２のブリッジ部２２が前掛眼鏡フレームの第１の係止部１１３Ｄａの後端部及び第２の係止部１１３Ｄｂの後端部に当接し、第１の係止部１１３Ｄａが上方に向けて付勢されて撓むか、若しくは第２の係止部１１３Ｄｂが下方に向けて付勢されて撓むか、或いは第１の係止部１１３Ｄａ及び第２の係止部１１３Ｄｂの双方の後端部が撓むため、第１の係止部１１３Ｄａの後端部と第２の係止部１１３Ｄｂの後端部との上下方向の間隔が拡がり、当該間隔を有する隙間から眼鏡フレーム２のブリッジ部２２が抜けることになる。
【００５０】
従って、本実施形態に係るブリッジ部１１Ｄを備えた前掛眼鏡フレームについても、磁力を用いることなく眼鏡フレーム２に容易且つ確実に取り付け可能であると共に、取り外しも容易である。
【００５１】
なお、図２及び図３を参照して説明したブリッジ部１１、１１Ａ、１１Ｂ及び１１Ｃは、係止部のみが可撓性部材からなる構成について説明したが、本発明はこれに限るものではなく、延設部も可撓性部材から構成し、当該延設部と係止部とを一体的に成形することも可能である。さらには、ブリッジ部本体をも可撓性部材から構成し、当該ブリッジ部本体、延設部及び係止部を一体的に成形しても良い。図３を参照して説明したブリッジ部１１Ｄについても同様に、ブリッジ部本体１１１Ｄをも可撓性部材から構成し、ブリッジ部本体１１１Ｄ、第１の係止部１１３Ｄａ及び／又は第２の係止部１１３Ｄｂを一体的に成形しても良い。
【００５２】
また、本発明に係る前掛眼鏡フレームとしては、必ずしもフルリムタイプのフレームに限るものではなく、上半分又は下半分にのみリムが設けられたハーフリムタイプのフレームとすることも可能である。
【図面の簡単な説明】
【００５３】
【図１】図１は、本発明の一実施形態に係る前掛眼鏡フレームの概略構成を示す図である。
【図２】図２は、本発明の一実施形態に係る前掛眼鏡フレームの一部断面を拡大して示す図である。
【図３】図３は、本発明の他の実施形態に係る前掛眼鏡フレームのブリッジ部断面を拡大して示す図である。
【符号の説明】
【００５４】
１・・・前掛眼鏡フレーム
１１・・・ブリッジ部
１１１・・・ブリッジ部本体
１１１ａ・・・凹溝
１１２・・・延設部
１１３・・・係止部
２・・・眼鏡フレーム
２１・・・テンプル  
【図１】
2006251629.tif 000003
【図２】
2006251629.tif 000004
【図３】
2006251629.tif 000005
【手続補正書】
【提出日】平成17年6月14日(2005.6.14)
【手続補正１】
【補正対象書類名】特許請求の範囲
【補正対象項目名】全文
【補正方法】変更
【補正の内容】
【特許請求の範囲】
【請求項１】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
前記眼鏡フレームのブリッジ部前面の形状に対応し、当該ブリッジ部前面が嵌め込まれる凹溝が後面に形成されたブリッジ部本体と、
前記ブリッジ部本体の前記凹溝の上端から後方に向けて延設された延設部と、
前記凹溝と前後方向に対向するように前記延設部の後端部から下方に延設され、前後方向に撓むことが可能な可撓性部材からなる係止部とを備え、
前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されており、
上下方向の着脱動作によって前記眼鏡フレームに着脱されることを特徴とする前掛眼鏡フレーム。
【請求項２】
前記係止部の下端部前面は、上方から下方に向けて前記ブリッジ部本体から離間する方向に湾曲した曲面形状とされていることを特徴とする請求項１に記載の前掛眼鏡フレーム。
【請求項３】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
前記眼鏡フレームのブリッジ部前面の形状に対応し、当該ブリッジ部前面が嵌め込まれる凹溝が後面に形成されたブリッジ部本体と、
前記ブリッジ部本体の前記凹溝の下端から後方に向けて延設された延設部と、
前記凹溝と前後方向に対向するように前記延設部の後端部から上方に延設され、前後方向に撓むことが可能な可撓性部材からなる係止部とを備え、
前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されており、
上下方向の着脱動作によって前記眼鏡フレームに着脱されることを特徴とする前掛眼鏡フレーム。
【請求項４】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
ブリッジ部本体と、
前記ブリッジ部本体の上端部から後方に向けて延設された延設部と、
前記ブリッジ部本体と対向するように前記延設部の後端部から下方に延設され、前後方向に撓むことが可能な可撓性部材からなる係止部とを備え、
前記係止部の上端部前面には、前記眼鏡フレームのブリッジ部後面の形状に対応し、当該ブリッジ部後面が嵌め込まれる凹溝が形成され、
前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されており、
上下方向の着脱動作によって前記眼鏡フレームに着脱されることを特徴とする前掛眼鏡フレーム。
【請求項５】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
ブリッジ部本体と、
前記ブリッジ部本体の下端部から後方に向けて延設された延設部と、
前記ブリッジ部本体と対向するように前記延設部の後端部から上方に延設され、前後方向に撓むことが可能な可撓性部材からなる係止部とを備え、
前記係止部の下端部前面には、前記眼鏡フレームのブリッジ部後面の形状に対応し、当該ブリッジ部後面が嵌め込まれる凹溝が形成され、
前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されており、
上下方向の着脱動作によって前記眼鏡フレームに着脱されることを特徴とする前掛眼鏡フレーム。
【請求項６】
前記前掛眼鏡フレームの左右方向両端部の後面に、前記眼鏡フレームの左右方向両端部の前面の形状に対応する凹溝が設けられていることを特徴とする請求項１から５の何れかに記載の前掛眼鏡フレーム。
【請求項７】
請求項１から６の何れかに記載の前掛眼鏡フレームと、前記眼鏡フレームとを備えることを特徴とする眼鏡セット。
【手続補正２】
【補正対象書類名】明細書
【補正対象項目名】０００７
【補正方法】変更
【補正の内容】
【０００７】
前記課題を解決するべく、本発明は、特許請求の範囲の請求項１に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、前記眼鏡フレームのブリッジ部前面の形状に対応し、当該ブリッジ部前面が嵌め込まれる凹溝が後面に形成されたブリッジ部本体と、前記ブリッジ部本体の前記凹溝の上端から後方に向けて延設された延設部と、前記凹溝と前後方向に対向するように前記延設部の後端部から下方に延設され、前後方向に撓むことが可能な可撓性部材からなる係止部とを備え、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されており、上下方向の着脱動作によって前記眼鏡フレームに着脱されることを特徴とする前掛眼鏡フレームを提供するものである。
【手続補正３】
【補正対象書類名】明細書
【補正対象項目名】０００８
【補正方法】変更
【補正の内容】
【０００８】
本発明に係る前掛眼鏡フレームにおいては、前掛眼鏡フレームを構成するブリッジ部が、眼鏡フレームのブリッジ部前面の形状に対応し、当該ブリッジ部前面が嵌め込まれる凹溝が後面に形成されたブリッジ部本体と、ブリッジ部本体の凹溝の上端から後方に向けて延設された延設部と、凹溝と前後方向に対向するように延設部の後端から下方に延設され、前後方向に撓むことが可能な可撓性部材からなる係止部とを備える構成とされている。そして、係止部に付勢力が作用していない状態において、凹溝の底部と係止部との前後方向の間隔が、眼鏡フレームのブリッジ部の前後方向の厚みと略同等に設定されている。従って、前掛眼鏡フレームを眼鏡フレームに取り付けた状態においては、眼鏡フレームのブリッジ部前面が前掛眼鏡フレームのブリッジ部本体の凹溝に嵌め込まれ、眼鏡フレームのブリッジ部後面が係止部の前面で係止される状態で、延設部が眼鏡フレームのブリッジ部に下方から支持されることになる。従って、前掛眼鏡フレームのブリッジ部の前後方向及び下方向への動きが、眼鏡フレームのブリッジ部によって規制されることになり、前掛眼鏡フレームを眼鏡フレームに確実に取り付けることが可能である。
【手続補正４】
【補正対象書類名】明細書
【補正対象項目名】００１３
【補正方法】変更
【補正の内容】
【００１３】
また、前記課題を解決するべく、請求項１に係る前掛眼鏡フレームのブリッジ部の上下を反転させた構成を採用することも可能である。すなわち、本発明は、特許請求の範囲の請求項３に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、前記眼鏡フレームのブリッジ部前面の形状に対応し、当該ブリッジ部前面が嵌め込まれる凹溝が後面に形成されたブリッジ部本体と、前記ブリッジ部本体の前記凹溝の下端から後方に向けて延設された延設部と、前記凹溝と前後方向に対向するように前記延設部の後端部から上方に延設され、前後方向に撓むことが可能な可撓性部材からなる係止部とを備え、前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記係止部との前後方向の間隔は、前記眼鏡フレームのブリッジ部の前後方向の厚みと略同等に設定されており、上下方向の着脱動作によって前記眼鏡フレームに着脱されることを特徴とする前掛眼鏡フレームとしても提供される。
【手続補正５】
【補正対象書類名】明細書
【補正対象項目名】００１５
【補正方法】変更
【補正の内容】
【００１５】
また、前記課題を解決するべく、請求項１に係る前掛眼鏡フレームのブリッジ部本体に形成された凹溝を、ブリッジ部本体ではなく係止部に形成する構成を採用することも可能である。すなわち、本発明は、特許請求の範囲の請求項４に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、ブリッジ部本体と、前記ブリッジ部本体の上端部から後方に向けて延設された延設部と、前記ブリッジ部本体と対向するように前記延設部の後端部から下方に延設され、前後方向に撓むことが可能な可撓性部材からなる係止部とを備え、前記係止部の上端部前面には、前記眼鏡フレームのブリッジ部後面の形状に対応し、当該ブリッジ部後面が嵌め込まれる凹溝が形成され、前記係止部に付勢力が作用していない状態において、前記ブリッジ部本体と前記係止部の下端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されており、上下方向の着脱動作によって前記眼鏡フレームに着脱されることを特徴とする前掛眼鏡フレームとしても提供される。
【手続補正６】
【補正対象書類名】明細書
【補正対象項目名】００１７
【補正方法】変更
【補正の内容】
【００１７】
また、前記課題を解決するべく、請求項４に係る前掛眼鏡フレームのブリッジ部の上下を反転させた構成を採用することも可能である。すなわち、本発明は、特許請求の範囲の請求項５に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、ブリッジ部本体と、前記ブリッジ部本体の下端部から後方に向けて延設された延設部と、前記ブリッジ部本体と対向するように前記延設部の後端部から上方に延設され、前後方向に撓むことが可能な可撓性部材からなる係止部とを備え、前記係止部の下端部前面には、前記眼鏡フレームのブリッジ部後面の形状に対応し、当該ブリッジ部後面が嵌め込まれる凹溝が形成され、前記係止部に付勢力が作用していない状態において、前記ブリッジ部本体と前記係止部の上端部との前後方向の最小の間隔が、前記眼鏡フレームのブリッジ部の前後方向の厚みよりも小さく設定されている一方、前記凹溝の底部と前記ブリッジ部本体との前後方向の間隔は、前記眼鏡フレームのブリッジ部の前後方向の厚みと略同等に設定されており、上下方向の着脱動作によって前記眼鏡フレームに着脱されることを特徴とする前掛眼鏡フレームとしても提供される。
【手続補正７】
【補正対象書類名】明細書
【補正対象項目名】００１８
【補正方法】変更
【補正の内容】
【００１８】
本発明に係る前掛眼鏡フレームについても、着脱動作の方向が上下に反転する点を除き、請求項４に係る前掛眼鏡フレームと略同等の作用効果を奏し、磁力を用いることなく眼鏡フレームに容易且つ確実に取り付け可能であると共に、取り外しも容易である。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２５
【補正方法】変更
【補正の内容】
【００２５】
なお、本発明は、特許請求の範囲の請求項７に記載の如く、上述した前掛眼鏡フレームと、前記眼鏡フレームとを備えることを特徴とする眼鏡セットとしても提供される。